(57)【要約】【課題】複数の遊戯機器をコンピュータに接続し、管理データを印刷する所定の書式を有した用紙に繰り返し印刷を行うことにより、複数の遊戯機器の管理データを各々時系列に管理するシステム技術を提供する。【解決手段】ステップＳ１は印刷用コンピュータ１６の電源を投入し、遊戯機器の管理データの印刷システムを起動する。ステップＳ２はシステムのプログラムに従い、システム設定ファイルを読み込む。ステップＳ３は印刷用コンピュータ１６に接続した表示装置１６ｃ上に該システムのメイン画面を表示し、同時にロゴ及び、４種のメニューボタンを表示する。４種のメニューボタンとは、データ表示、自動印刷、設定、及び終了のメニューボタンである。ステップＳ４は操作者が該メニューボタンの１つであるデータ表示ボタンを操作し、ステップＳ５のデータ表示の処理へ進み、表示装置１６ｃの画面が切り替わる。【選択図】図４
2008134760.tif 000002
【特許請求の範囲】
【請求項１】
起動手段と、該起動手段からの信号により動作するシステム設定ファイル手段と、該システム設定ファイル手段からの信号により表示装置に画面を表示するメイン画面表示手段と、該メイン画面表示手段のデータ表示ボタンの操作によりデータの処理を行うデータ表示処理手段とでなる印刷システムに於いて、該データ表示処理手段からの信号でデータ集積用コンピュータのＣＳＶファイルの有無を確認判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索し、デフォルト画面の表示を行なうデフォルト画面表示手段と、該デフォルト画面表示手段からの信号で、島の台番号に係る全データを表示するデータ表示手段と、該データ表示手段からの信号で、島番号変更判定手段及び日付変更判定手段を介して印刷用コンピュータがパラメータ情報を取得判定する手動印刷処理判定手段と、該手動印刷処理判定手段からの信号で店名、機種名、年月、島、台番号のフォーマットを作成する全面印刷フォーマット処理手段と、該全面印刷フォーマット処理手段からの信号で印字フォーマットを行なうデータ印刷フォーマット手段と、該データ印刷フォーマット手段からの信号で印字データをプリントするプリンタ送信手段とを備えたことを特徴とする遊戯機器の管理データの印刷システム。
【請求項２】
起動手段と、該起動手段からの信号により動作するシステム設定ファイル手段と、該システム設定ファイル手段からの信号により表示装置に画面を表示するメイン画面表示手段と、該メイン画面表示手段の自動印刷ボタンの操作により自動印刷処理を行なう自動印刷処理手段とでなる印刷システムに於いて、該自動印刷処理手段からの信号でデータ集積用コンピュータのＣＳＶファイルの有無を確認・判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索しかつ印刷処理選択の画面を表示する印刷モード選択手段と、該印刷モード選択手段から信号で新規印刷へ実行する新規印刷手段と、該新規印刷手段からの信号で島番号の初期値＝１を自動的にセットする島番号初期値自動設定手段と、該島番号初期値自動設定手段からの信号で印刷開始島番号の入力画面を表示する新規印刷日付確認手段と、該新規印刷日付確認手段からの信号で最終営業日のデータを表示しかつ初期印刷フォーマットを作成する全面印刷フォーマット処理手段と、該全面印刷フォーマット処理手段からの信号で当日データの印字フォーマットを作成するデータ印刷フォーマット手段と、該データ印刷フォーマット手段からの信号で印字データを送信するプリンタ送信手段と、該プリンタ送信手段からの信号で島番号を次島にセットしかつ複数枚のデータ用紙を印刷して終了する島番号確認による印刷終了手段とを備えたことを特徴とする遊戯機器の管理データの印刷システム。
【請求項３】
起動手段と、該起動手段からの信号により動作するシステム設定ファイル手段と、該システム設定ファイル手段からの信号により表示装置に画面を表示するメイン画面表示手段と、該メイン画面表示手段の自動印刷ボタンの操作により自動印刷処理を行なう自動印刷処理手段とでなる印刷システムに於いて、該自動印刷処理手段からの信号でデータ集積用コンピュータのＣＳＶファイルの有無を確認・判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索しかつ印刷処理選択の画面を表示する印刷モード選択手段と、該印刷モード選択手段からの信号で通常印刷へ実行する通常印刷手段と、該通常印刷手段からの信号で処理選択画面の表示を行なう通常印刷確認手段と、該通常印刷確認手段からの信号でバーコード読取・印字の連続印刷を実行しかつバーコード読取トリガ信号を送信するバーコード読み取り指令手段と、該バーコード読み取り指令手段からの信号で印刷用コンピュータのバーコード受信有無を検出しかつ紙づまりの発生、データ用紙の誤送で印刷強制終了を実行する印刷強制終了判定手段と、該印刷強制終了判定手段からの信号でバーコードを受信するバーコード受信手段と、該バーコード受信手段からの信号で前記表示装置に日付及び島番号のデータ表示を行なう日付確認・判定手段と、該日付確認・判定手段からの信号で島データを読み込み印字フォーマットを作成するデータ印刷フォーマット手段と、該データ印刷フォーマット手段からの信号で印字データを送信するプリンタ送信手段と、該プリンタ送信手段からの信号で該印字データを印刷するための待機を行なう印刷時間ウエイト手段とを備えたことを特徴とする遊戯機器の管理データの印刷システム。
【発明の詳細な説明】
【技術分野】
【０００１】
本発明は、複数の遊戯機器をコンピュータに接続し、管理データを印刷する所定の書式を有した用紙に繰り返し印刷を行うことにより、複数の遊戯機器の管理データを各々時系列に管理することを可能にした印刷システムに関する。
【背景技術】
【０００２】
従来、この種の技術に於ける一例として特開２００４−１６０７４３号に開示された追記式プリンタシステムがある。
これについて説明すれば、図９は従来技術に係る追記式プリンタシステムの構成を示すブロック図である。この追記式プリンタシステムは、プリンタ本体１と、このプリンタ本体１の用紙トレイ近傍に取り付けられたバーコードリーダ２および用紙センサ３と、パーソナルコンピュータ（以下ＰＣという）４と、制御ボックス５と、患者情報やその印刷情報に関連する情報を蓄積するサーバ６とを備えている。プリンタ本体１とＰＣ４とは、パラレルケーブル９によって接続されている。また、ＰＣ４とサーバ６とは、イーサネット（登録商標）ケーブル（ＬＡＮケーブル）１４によって接続されている。
【０００３】
また、制御ボックス５とバーコードリーダ２との間には、バーコードコントロールケーブル１０とバーコードリーダ電源コントロールケーブル１１が接続され、該制御ボックス５と用紙センサ３との間には用紙センサ信号ケーブル１２が接続され、該制御ボックス５とＰＣ４との間は制御用シリアルケーブル１３で接続されている。制御ボックス５とＰＣ４にはそれぞれソフトウエア７，８がインストールされている。
【０００４】
この構成において、プリンタ本体１の用紙トレイに用紙がセットされると、用紙センサ３は用紙がセットされたことを制御ボックス５に伝える。その信号で、バーコードリーダ２の電源を入れ、用紙上に印刷されたバーコードを読み取って制御ボックス５にその信号を伝送する。制御ボックス５のソフトウエア７は、制御用シリアルケーブル１３を介してＰＣ４にインストールされたソフトウエア８と連係動作を行う。
【０００５】
ＰＣ４が制御ボックス５からのバーコード信号を受信すると、そのバーコードに対応する情報、たとえばバーコードが患者ＩＤであれば、どの患者の検温表であるか、どの日のデータが未記録であるかを検出して、不足している情報を追記するための印刷情報として、プリンタ本体１に対し、パラレルケーブル９を介して印字開始信号と印刷情報を出力する。これにより、前回印刷された用紙の所定の位置に、新たな情報をプリンタ本体１により追記印刷することができる。
【０００６】
図１０は、従来技術におけるＰＣ４にインストールされるソフトウエア８の処理の概要を示すフローチャートである。各ステップについて説明する。ステップＳ１でＰＣ４のソフトウエア８の起動時に、初期化処理を行う。
【０００７】
ステップＳ２でタスクバーの登録処理を行う。すなわち、ＰＣ４のアプリケーション処理画面で、処理状況がウインドウのタスクバーで管理できるように登録を行う。これにより、プリント処理が始まると、プリントメニュー画面はウインドウ上では最小化され、バックグラウンドでの処理となり、プリント処理中でも他の処理が出来るようになる。
【０００８】
ステップＳ３でメッセージ受信、メニュー処理を行う。すなわち、検温表の作成なのか、作図なのかを判断し、ウインドウに表示するメニュー画面を切り替える処理を行う。メニュー処理がステップＳ３−１の「検温表作成処理」のときは、作成患者一覧画面の表示を行う。メニュー処理がステップＳ３−２の「作図処理」のときは、作図患者処理状況画面の表示を行う。メニュー処理がステップＳ３−３の「バージョン情報」のときは、バージョン情報画面の表示を行う。メニュー処理がステップＳ３−４の「終了処理」のときは、処理を終了する。
【０００９】
ステップＳ４で本アプリケーションはプログラム常駐型であるので、ダブルクリック指示があるまではＰＣ４のオペレーションシステム上でステップＳ６によりアイドルイベント処理（待機処理）を行っており、ダブルクリック時は、ステップＳ５により作図（作成）実行画面を表示する。
【特許文献１】特開２００４−１６０７４３号公開特許公報
【発明の開示】
【発明が解決しようとする課題】
【００１０】
前記特開２００４−１６０７４３号の公開特許公報に係る従来の技術は、叙上したように、パーソナルコンピュータ４からの情報を用紙上に印刷するプリンタ本体１と、このプリンタ本体１に取り付けられ、用紙トレイにセットされた用紙の有無を検知する用紙センサ３と、用紙トレイにセットされた用紙に予め印刷されたバーコードを読み取るバーコードリーダ２と、このバーコードリーダ２により読み取られたバーコードに該当する情報をパーソナルコンピュータ４に接続されたサーバ６から読み出してプリンタ本体１に印刷情報を出力する処理を行うソフトウエア７，８とを備えた追記式プリンタシステムである。
【００１１】
而して、当該従来の技術によれば、用紙トレイにセットされた用紙の有無を検知する用紙センサが必須であり、設備コストが増大すると共に、用紙センサが用紙の有無を検知してからバーコードリーダの電源をオンして読み取りステップに進むので、多数枚の用紙を印刷するためには時間を要するという問題点があった。さらに従来技術によれば、前記追記式プリンタシステムは医療分野に適用するものであって、遊戯施設閉店後の深夜にデータ管理を行うので、多数枚のデータ用紙を短時間で印刷する必要がある遊戯機器のデータ管理には適さないという問題点があった。
【課題を解決するための手段】
【００１２】
本発明の目的は、叙上の問題点を解消することにあり、遊戯機器情報及び該情報に基づいて処理を行った様々なデータを各遊戯機器の島別に迅速に印刷することにあり、様々なデータを元に選択可能な、例えば１０種類のデータを同一の用紙に一週間分時系列に自動的に印刷することで、日々の遊戯機器の設定とその稼動の推移を分りやすく迅速に印刷するシステムを提供することにある。
【００１３】
本発明は上述の目的を達成するために発明したものであり、次の構成、手段を備えている。
すなわち請求項１記載の発明によれば、起動手段と、該起動手段からの信号により動作するシステム設定ファイル手段と、該システム設定ファイル手段からの信号により表示装置に画面を表示するメイン画面表示手段と、該メイン画面表示手段のデータ表示ボタンの操作によりデータの処理を行うデータ表示処理手段とでなる印刷システムに於いて、該データ表示処理手段からの信号でデータ集積用コンピュータのＣＳＶファイルの有無を確認判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索し、デフォルト画面の表示を行なうデフォルト画面表示手段と、該デフォルト画面表示手段からの信号で、島の台番号に係る全データを表示するデータ表示手段と、該データ表示手段からの信号で、島番号変更判定手段及び日付変更判定手段を介して印刷用コンピュータがパラメータ情報を取得判定する手動印刷処理判定手段と、該手動印刷処理判定手段からの信号で店名、機種名、年月、島、台番号のフォーマットを作成する全面印刷フォーマット処理手段と、該全面印刷フォーマット処理手段からの信号で印字フォーマットを行なうデータ印刷フォーマット手段と、該データ印刷フォーマット手段からの信号で印字データをプリントするプリンタ送信手段とを備えたことを特徴とする。
【００１４】
請求項２記載の発明によれば、起動手段と、該起動手段からの信号により動作するシステム設定ファイル手段と、該システム設定ファイル手段からの信号により表示装置に画面を表示するメイン画面表示手段と、該メイン画面表示手段の自動印刷ボタンの操作により自動印刷処理を行なう自動印刷処理手段とでなる印刷システムに於いて、該自動印刷処理手段からの信号でデータ集積用コンピュータのＣＳＶファイルの有無を確認・判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索しかつ印刷処理選択の画面を表示する印刷モード選択手段と、該印刷モード選択手段から信号で新規印刷へ実行する新規印刷手段と、該新規印刷手段からの信号で島番号の初期値＝１を自動的にセットする島番号初期値自動設定手段と、該島番号初期値自動設定手段からの信号で印刷開始島番号の入力画面を表示する新規印刷日付確認手段と、該新規印刷日付確認手段からの信号で最終営業日のデータを表示しかつ初期印刷フォーマットを作成する全面印刷フォーマット処理手段と、該全面印刷フォーマット処理手段からの信号で当日データの印字フォーマットを作成するデータ印刷フォーマット手段と、該データ印刷フォーマット手段からの信号で印字データを送信するプリンタ送信手段と、該プリンタ送信手段からの信号で島番号を次島にセットしかつ複数枚のデータ用紙を印刷して終了する島番号確認による印刷終了手段とを備えたことを特徴とする。
【００１５】
請求項３記載の発明によれば、起動手段と、該起動手段からの信号により動作するシステム設定ファイル手段と、該システム設定ファイル手段からの信号により表示装置に画面を表示するメイン画面表示手段と、該メイン画面表示手段の自動印刷ボタンの操作により自動印刷処理を行なう自動印刷処理手段とでなる印刷システムに於いて、該自動印刷処理手段からの信号でデータ集積用コンピュータのＣＳＶファイルの有無を確認・判定するＣＳＶファイル確認判定手段と、該ＣＳＶファイル確認判定手段からの信号で変換後ファイルを作成するファイル変換手段と、該ファイル変換手段からの信号で最終日の変換後ファイルを検索しかつ印刷処理選択の画面を表示する印刷モード選択手段と、該印刷モード選択手段からの信号で通常印刷へ実行する通常印刷手段と、該通常印刷手段からの信号で処理選択画面の表示を行なう通常印刷確認手段と、該通常印刷確認手段からの信号でバーコード読取・印字の連続印刷を実行しかつバーコード読取トリガ信号を送信するバーコード読み取り指令手段と、該バーコード読み取り指令手段からの信号で印刷用コンピュータのバーコード受信有無を検出しかつ紙づまりの発生、データ用紙の誤送で印刷強制終了を実行する印刷強制終了判定手段と、該印刷強制終了判定手段からの信号でバーコードを受信するバーコード受信手段と、該バーコード受信手段からの信号で前記表示装置に日付及び島番号のデータ表示を行なう日付確認・判定手段と、該日付確認・判定手段からの信号で島データを読み込み印字フォーマットを作成するデータ印刷フォーマット手段と、該データ印刷フォーマット手段からの信号で印字データを送信するプリンタ送信手段と、該プリンタ送信手段からの信号で該印字データを印刷するための待機を行なう印刷時間ウエイト手段とを備えたことを特徴とする。
【発明の効果】
【００１６】
本発明に係る遊戯機器の管理データの印刷システムは、叙上の構成を有するので次のような効果がある。
【００１７】
すなわち請求項１ないし３記載の発明によれば、遊戯台情報及びそれから求めた色々なデータを各台島別にプリントし、かつこの色々なデータの中から選択可能な１０種類をプリントすること、及び同じ用紙に月曜日から日曜日まで１週間分プリントでき、日々の設定と遊戯台の稼動の推移を大変わかり易くするシステムを提供できる効果がある。また、バーコードにより島区分を自動認識して順不同の複数枚を自動印刷でき、さらに、印字処理速度が圧倒的に速く、業務効率に寄与でき、市販用紙を利用できるためにランニングコストが安く、島単位で１週間に１枚の用紙で足りるため省資源化を実現できるという効果がある。
【発明を実施するための最良の形態】
【００１８】
以下、本発明に係る遊戯機器の管理データの印刷システムに於ける実施の形態について、フローチャートに基づいてその構成を説明する。
図１は本発明に係る遊戯機器の管理データの印刷システムを内蔵した印刷用コンピュータと、それに接続する機器の構成を示す図である。本発明に係る遊戯機器の管理データの印刷システムを説明するに当たり、その前提となる遊戯機器の管理データの印刷方法を図１、図２および図３により以下に説明する。
【００１９】
該遊戯機器の管理データの印刷方法は、入力手段と表示手段を具備したデータ集積用コンピュータ１５、入力手段と表示手段を具備した印刷用コンピュータ１６および印刷用コンピュータ１６に接続したプリンタ１７、プリンタ１７に固定したバーコードリーダ１９とで構成する。
【００２０】
データ集積用コンピュータ１５と印刷用コンピュータ１６およびプリンタ１７はローカルエリアネットワークケーブル（ＬＡＮケーブル）等の通信ケーブル１８で接続し、印刷用コンピュータ１６とバーコードリーダ１９はシリアルケーブル（ＲＳ２３２Ｃケーブル）２０で接続する。
使用するケーブル類は採用する機器に依存するので前記のケーブルの種類に限定するものではない。
【００２１】
データ集積用コンピュータ１５は一般にホールコンピュータと称するものでウィンドウズ（登録商標）やリナックス等のオペレーティングシステムを用いたパーソナルコンピュータであり、コンピュータ本体１５ａと、キーボード１５ｂおよびマウス（図示せず）またはトラックボール（図示せず）からなる入力装置と、ブラウン管または液晶による表示装置１５ｃとからなる。
【００２２】
該データ集積用コンピュータ１５は遊戯機器（図示せず）と遊戯機器に投入する金属玉を遊戯者に賃貸する玉貸し機（図示せず）とをローカルエリアネットワーク等の通信ケーブル１８を用いて接続している。該遊戯機器と該玉貸し機は隣接して設置し、遊戯者が該玉貸し機に硬貨を投入し金属玉を取出し、隣接した特定の遊戯機器においてこの金属玉を利用して遊戯することができる。このように遊戯機器と玉貸し機は１対１で構成し管理する。さらには複数の遊戯機器と玉貸し機の対で群を構成し、該群が複数集積して遊戯施設を形成している。
【００２３】
前記群を一般に島と称し、該島単位で遊戯機器の外観構造及び動作仕様を共通化することにより、ひとつの遊戯施設内に複数の外観構造及び動作仕様を有する遊戯機器群を擁している。
【００２４】
前記データ集積用コンピュータ１５は、前記遊戯施設の前記複数の全ての遊戯機器と、前記複数の全ての玉貸し機から前記ローカルエリアネットワークケーブル等の通信ケーブル１８を介して随時遊戯施設に必要な管理データや営業管理データを取得する。
【００２５】
該管理データは、前記遊戯機器及び前記玉貸し機から得られる一次的データと、該一次的データを前記データ集積用コンピュータ１５がさらにデータ処理した二次的データがあり、一次的データと二次的データは例えば合計３０種類以上になる。
【００２６】
印刷用コンピュータ１６はウィンドウズ（登録商標）やリナックス等のオペレーティングシステムを用いたパーソナルコンピュータであり、コンピュータ本体１６ａと、キーボード１６ｂおよびマウス（図示せず）またはトラックボール（図示せず）からなる入力装置とブラウン管または液晶による表示装置１６ｃからなる。
【００２７】
該印刷用コンピュータ１６は前記３０種類またはそれ以上の管理データを元に、前記遊戯機器１台ごとに例えば損益を示すデータを処理し、一日を単位とした時系列で任意の１０種類の管理データを印刷することができる本発明に係る遊戯機器の管理データの印刷システムを構成するソフトウエアを格納している。該印刷用コンピュータ１６は前記データ集積用コンピュータ１５をローカルエリアネットワークケーブル等の通信ケーブル１８で接続してある。操作者の操作または本発明に係る遊戯機器の管理データの印刷システムによるデータ印刷ソフトウェアが、該印刷用コンピュータ１６から前記データ集積用コンピュータ１５に指令することにより、該印刷用コンピュータ１６はデータ集積用コンピュータ１５から前記３０種類またはそれ以上の管理データまたは、例えば１０種類の管理データを取得する。この管理データは、例えば書誌的データ、日付データ、項目データ及び営業データからなり、書誌的データはバーコード、枠、島番号、台番号、及びその他の共通印刷内容からなる。
【００２８】
前記データ印刷ソフトウエアは例えば２５６色のカラー印刷を可能にしているので、管理データ数値の上限値、下限値を超えた実績値をカラーで印字することにより、管理データを視覚的に判断することが可能である。
【００２９】
プリンタ１７は前記印刷用コンピュータ１６にローカルエリアネットワークケーブル等の通信ケーブル１８で接続した市販のプリンタで、カットシートフィーダ１７ａを具備しており、単票のＡ４版用紙ないしＢ４版用紙が連続印刷できるものである。図中１７ｂはプリンタ本体である。
【００３０】
本遊戯機器の管理データの印刷方法ではプリンタ１７をネットワークプリンタとして扱っているが、ユニバーサルシリアルバスケーブル（ＵＳＢ）やパラレルケーブルによって前記印刷用コンピュータ１６に直接接続してもよい。
プリンタ１７をネットワークプリンタとして接続すると印刷用コンピュータ１２から印刷するだけでなく、データ集積用コンピュータ１５からも直接印刷することが可能で、プリンタ１７を共用できるので有用であるが、プリンタ１７の設置時の初期設定が複雑となり、ネットワーク構築が容易でない。
【００３１】
一方、ユニバーサルシリアルバスケーブルで印刷用コンピュータ１６とプリンタ１７を接続した場合は、プリンタ１７に付属するプリンタドライバを印刷用コンピュータ１６に導入するだけなので設置が容易である。
【００３２】
パラレルケーブルにより印刷用コンピュータ１６とプリンタ１７を接続した場合は接続に必要とするケーブル価格やコネクタの価格がユニバーサルシリアルバスケーブルに比較して高額である。低価格で高速転送が可能なユニバーサルシリアルバス規格であるＵＳＢ２．０が普及したので、パラレルケーブルによる接続はコネクタ接続部の機械的な信頼性を要求する用途に限定されつつある。
【００３３】
本遊戯機器の管理データの印刷方法に用いるプリンタ１７の好適な例として、例えばリコー製ジェルジェットプリンタ「ＩＰＳＩＯ  ＧＸ３０００」やリコー製カラーレーザープリンタ「ＩＰＳＩＯ  ＳＰ  Ｃ７１０」を適用する。該２機種はユニバーサルシリアルバス接続またはネットワーク接続が可能となるプリンタである。
【００３４】
バーコードリーダ１９は前記プリンタ１７のカットシートフィーダ１７ａの近傍に固定したもので、前記印刷用コンピュータ１６にシリアルケーブル２０を介して接続する。該バーコードリーダ１９は、図２及び図３に示すデータ用紙２１の所定の位置に予め印刷したバーコード２１ａを読み取り、前記印刷用コンピュータ１６に送信する。バーコード２１ａのデータを受信した前記印刷用コンピュータ１６は、バーコード２１ａのデータに基づいて、遊戯施設内のどの島であるか、島番号を判断する。
【００３５】
前記バーコードリーダ１９の作用によって、前記データ用紙２１から図２に示すバーコード２１ａを元に前記印刷用コンピュータ１６は、遊戯施設内の特定の前記島番号２１ｂ、前記年月日データおよび曜日データ２１ｃを判断する。前記印刷用コンピュータ１６は、前記データ集積用コンピュータ１５から得た前記管理データ２１ｅの中から、前記データ用紙２１に印刷すべきデータを選別し、前記データ用紙２１の所定の位置に追記すべき管理データのみを印字する。前述したとおり１つの島には複数個の遊戯機器が所属しているので前記データ用紙２１の行方向には複数の遊戯機器の台番号２１ｄが印字されている
【００３６】
本遊戯機器の管理データの印刷方法に用いるバーコードリーダ１９の好適な例として、キーエンス製ＣＣＤバーコードリーダ「ＢＬ−１８０／１８５」を適用する。
【００３７】
遊戯施設内の遊戯機器の管理者は、プリンタ１７で管理データを印刷したデータ用紙２１を遊戯施設内を携行して利用する。具体的には前記管理者は印刷された前記管理データに基づいて、翌日の管理目標値を設定し、該設定値を前記データ用紙２１に手書きで追記する。該手書き数値を元に遊戯機器の動作特性を遊戯施設内で遊戯機器ごとに設定し必要に応じて変化をもたせることもできる。該動作特性を有した遊技機器を翌日営業に付し、該営業日の営業時間終了後、前記手書き文字を付記したデータ用紙２１に該営業日の管理データをプリンタ１７を用いて追加印刷する。この一連の作業によって、前日の管理データと前日定めた手書きした目標値と、翌日の管理データとが同一のデータ用紙１７に記録され保存可能となる。
【００３８】
叙上のように同一のデータ用紙２１に一日ごとの前記管理データを一週間繰り返し印刷するとともに、日々の管理目標値がデータ用紙２１に手書きされデータ用紙２１に残るので、実績値と目標値が一目瞭然となり、遊戯機器に於ける実績値と目標値の設定の良否が即時に判断可能となる。従って遊戯施設内での使用する特質上、用紙が痛みやすいので、印刷不良が生じることを防止するために、一般の印刷用紙よりも厚手の用紙が好適である。
【００３９】
次に、本発明に係る遊戯機器の管理データの印刷システムに於ける具体的な実施の形態の構成及び動作について、図４から図８に基づいて説明する。
図４から図８は図１に於ける印刷用コンピュータ１６を操作してデータ用紙２１に管理データを印刷するときの構成及び動作を示すフローチャートである。
【００４０】
図４は本発明に係る遊戯機器の管理データの印刷システムの構成を示すメインルーチンである。ステップＳ１は印刷用コンピュータ１６の電源を投入し、本発明に係る遊戯機器の管理データの印刷システムを起動する。これが起動手段である。ステップＳ２は本発明のシステムのプログラムに従い、データ形式、データパス、フォントサイズ、タイマー値等システム設定ファイルを読み込む。これがシステム設定ファイル手段である。ステップＳ３は印刷用コンピュータ１６に接続した表示装置１６ｃ上に該システムのメイン画面を表示し、同時にロゴ及び、４種のメニューボタンを表示する。４種のメニューボタンとは、データ表示、自動印刷、設定、及び終了のメニューボタンである。これがメイン画面表示手段である。ステップＳ４は操作者が該メニューボタンの１つであるデータ表示ボタンをマウス（図示せず）またはトラックボール（図示せず）で押下げクリックすると、ステップＳ５のデータ表示の処理へ進み、表示装置１６ｃの画面が切り替わる。これがデータ表示処理手段である。ステップＳ６はステップＳ４を選択せず自動印刷ボタンをマウス（図示せず）またはトラックボール（図示せず）で押下げクリックすると、ステップＳ７の自動印刷の処理へ進み、表示装置１６ｃの画面が切り替わる。このステップＳ７は自動印刷処理手段である。ステップＳ８はステップＳ４及びステップＳ６を選択せず設定ボタンをマウス（図示せず）またはトラックボール（図示せず）で押下げクリックすると、ステップＳ９の各種設定の処理へ進み、表示装置１６ｃの画面が切り替わる。このステップＳ９は各種設定処理手段である。ステップＳ１０はステップＳ４、ステップＳ６及びステップＳ８を選択せず終了ボタンをマウス（図示せず）またはトラックボール（図示せず）で押下げクリックすると、ステップＳ１１で本発明に係る遊戯機器の管理データの印刷システムが終了する。このステップＳ１１は終了処理手段である。
【００４１】
次に図５においてステップＳ５がデータ表示の処理へ進んだときのフローを説明する。ステップＳ５はデータ表示の処理へ進むと、ステップＳ１２で印刷用コンピュータ１６がデータ集積用コンピュータ１５と通信を行い、データ集積用コンピュータ１５にＣＳＶファイルがあるか無いかを確認・判定する。これがＣＳＶファイル確認判定手段である。ＣＳＶファイルとは、１種のテキストファイルであってデータをカンマで区切って並べたファイル形式である。主に表計算やデータベースソフトウェアで使用し、汎用性の高さ故に異なる種類のアプリケーションソフトウェアの間でのデータ交換に使用することが可能である。データ集積用コンピュータ１５がＣＳＶファイルでデータ処理をしていれば、図５のステップＳ１２でＹへ進み、ステップＳ１４で印刷用コンピュータ１６がデータ変換処理を行い、変換後ファイルを作成する。このステップＳ１４はファイル変換手段である。
【００４２】
次にステップＳ１５で最終日の変換後ファイルを検索し、ステップＳ１６で表示装置１６ｃにデフォルト画面の表示を行う。これがデフォルト画面表示手段である。デフォルト画面とは、画面上端部にデータ表示ボタン、自動印刷ボタン、設定ボタンおよび終了ボタンを表示し、データ表示ボタン直下に手動印刷ボタンを表示し、画面右上に店舗名、営業日、島番号、および遊戯機器の機種名を表示する画面である。ステップＳ４でデータ表示をクリックしたので、前記データ表示ボタンが反転して選択されたことを示している。印刷用コンピュータ１６は最終日の変換後ファイルに基づき、営業日をセットしてデフォルト画面の日付選択エリアに表示し、島番号１番をセットしてデフォルト画面の島番号選択選択エリアに１を表示し、この島に対する機種名をデフォルト画面の機種名エリアに表示する。
【００４３】
次にステップＳ１７で、前記デフォルト画面の下方に前記日付および前記島番号に基づいて、当該島の台番号とこれに対するデータを行方向すなわち横方向に表示し、最終日の週すなわち当該週の月曜日から最終日すなわち当曜日までの全ての前記データを列方向すなわち縦方向に表示する。これがデータ表示手段である。
【００４４】
データ集積用コンピュータ１５からＣＳＶファイルを読み込むことができないときは、図５のステップＳ１２でＮへ進みステップＳ１３で表示装置１６ｃに変換元ファイル無しのメッセージを表示する。これが変換元ファイル無し表示手段である。
【００４５】
島番号を変更するには、ステップＳ１７で全データ表示後ステップＳ１８でＹへ進みデフォルト画面の島番号選択エリアに島番号をキーボード１６ｂから入力する。これが島番号データ表示手段である。その結果ステップＳ１８で入力した島番号に基づいて表示装置１６ｃに全データが表示される。このステップＳ１８は島番号変更判定手段である。
これが島番号変更手段である。日付の変更をするには、ステップＳ１７で全データ表示後ステップＳ１９でＹへ進みデフォルト画面の日付選択エリアに日付をキーボード１６ｂから入力する。その結果ステップ１９で入力した日付に基づいて表示装置１６ｃに全データが表示される。これが日付変更判定手段である。
【００４６】
ステップＳ２０で前記手動印刷ボタンをクリックすると、ステップＳ２１の手動印刷の処理へ進み、パラメータ取得手段としてのステップＳ２２で印刷用コンピュータ１６がパラメータとして表示営業日と表示島番号を取得する。このステップＳ２０は手動印刷処理判定手段である。パラメータとはプログラムを遂行するために必要な情報のことである。次にステップＳ２３で前記パラメータを元に該当週について印刷フォーマット行う。該印刷フォーマットとは、タイトルおよびバージョンの印字フォーマットであり、店名、機種名、年月、島番号および台番号のフォーマットであり、日付および島番号をバーコードにフォーマットすることであり、全枠線の印字フォーマットである。このステップＳ２３は全面印刷フォーマット処理手段である。
【００４７】
次にステップＳ２４で前記パラメータをもとに、該当週のデータを印字フォーマットする。これがデータ印刷フォーマット手段である。以上で１ページ分のデータをプリンタが印刷するための印字データにフォーマットし、ステップＳ２５で該印字データをプリンタ１７にシリアルケーブル２０を介して送信する。これがプリンタ送信手段である。前記データを送信後、ステップＳ１８の前に戻り、印刷用コンピュータ１６は入力待ちとなる。
【００４８】
ステップＳ２６で他メニューをクリックすると、すなわちデフォルト画面において画面上端部のデータ表示ボタン以外の自動印刷ボタン、設定ボタンおよび終了ボタンのいずれかをクリックすると他メニュー処理に移行する。
【００４９】
図６のフローチャートにおいて、前記デフォルト画面の上端部に位置する自動印刷ボタンをクリックしたときの処理の流れを説明する。ステップＳ７で自動印刷ボタンをクリックすると、ステップＳ２７で印刷用コンピュータ１６がデータ集積用コンピュータ１５と通信を行い、データ集積用コンピュータ１５にＣＳＶファイルがあるか無いかを確認・判定する。このステップＳ２７は前記ＣＳＶファイル確認判定手段である。データ集積用コンピュータ１５がＣＳＶファイルでデータ処理をしていれば、図６のステップＳ２７でＹへ進み、ステップＳ２９で印刷用コンピュータ１６がデータ変換処理を行い、変換後ファイルを作成する。これが前記ファイル変換手段である。データ集積用コンピュータ１５からＣＳＶファイルを読み込むことができないときは、図６のステップＳ２７でＮへ進みステップＳ２８で表示装置１６ｃに変換元ファイル無しのメッセージを表示する。これが前記変換元ファイル無し表示手段である。
【００５０】
次にステップＳ３０で最終日の変換後ファイルを検索し、ステップＳ３１で表示装置１６ｃに印刷処理選択の画面の表示を行う。この画面は「どちらの処理を行いますか？」というメッセージと共に該メッセージの下方に新規印刷ボタン、通常印刷ボタンおよびキャンセルボタンを表示する。このステップＳ３１は印刷モード選択手段である。ステップＳ３２でＹへ進む、すなわち前記新規印刷ボタンをクリックすると、図８に示すステップＳ３３の新規印刷へ進む。このステップＳ３３は新規印刷手段である。ステップＳ３４でＹへ進む、すなわち前記通常印刷ボタンをクリックするとステップＳ３５の通常印刷の処理へ進む。これが通常印刷手段である。ステップＳ３８でＹへ進む、すなわちキャンセルボタンをクリックすると、図４のステップＳ３のメイン画面に戻る。
【００５１】
ステップＳ３５で通常印刷へ進むと、ステップＳ３６で表示装置１６ｃに処理選択画面の表示を行う。これが通常印刷確認手段である。該処理選択画面で「２００Ｘ年Ｙ月Ｚ日のデータを自動印刷します。バーコードリーダと用紙を確認し、「ＯＫ」ボタンをクリックしてください」と表示し、このメッセージの下方にОＫボタンとキャンセルボタンを表示する。前記２００Ｘ年Ｙ月Ｚ日は最終営業日である。このメッセージに従って、操作者はバーコードリーダ１９がデータ用紙２１のバーコード部が読み取れる向きにして、データ用紙２１をプリンタ１７のカットシートフィーダ１７ａに差し込む。このときデータ用紙２１の向きをそろえれば、複数枚のデータ用紙２１は順不同でカットシートフィーダ１７ａに差し込めばよい。
【００５２】
ステップＳ３７でＹへ進む、すなわち該キャンセルボタンをクリックすると、図４のステップＳ３のメイン画面に戻る。ステップＳ３９でＹへ進む、すなわち前記ＯＫボタンをクリックすると、図７に示すステップＳ４０のバーコード読取・印字の連続印刷手段へ進む。ステップＳ４１で印刷用コンピュータ１６がバーコードリーダ１９にバーコード読取トリガ信号をシリアルケーブル２０を介して送信する。このステップＳ４１はバーコード読み取り指令手段である。
【００５３】
本遊技機器の管理データの印刷方法に用いるバーコードリーダ１９の例示製品は毎秒５００パターンのバーコードを読み取る能力を有しており、バーコードの読取作業は極めて短時間で終了するものである。バーコードリーダ１９がバーコードを読み取ると印刷用コンピュータ１６にバーコード信号を送信する。しかし印刷用コンピュータ１６が前記バーコード読取トリガ信号をバーコードリーダ１９に送信してから、印刷用コンピュータ１６がバーコードを一定時間受信しないと、ステップＳ４２は設定時間超過判定手段であって、一定時間超過したと判断しＹへ進み、ステップＳ５１で表示装置１６ｃに「バーコード無効により印刷を停止します」というメッセージとともに、該メッセージの下方にＯＫボタンを表示する。この一定時間は一分間に設定してある。このステップＳ５１は読み取り処理終了確認手段である。
【００５４】
バーコードを受信しない場合とは、データ用紙が無い場合または印刷を全て終了した場合、データ用紙の向きを間違ってセットしバーコードを読み取れない場合、またバーコードを汚損して読み取れない場合である。前記ＯＫボタンをクリックすると、ステップＳ５２でＹへ進み、ステップＳ５３で印刷用コンピュータ１６がバーコードリーダ１９にバーコード読取停止信号を送信し、図４に示すステップＳ３に戻り、表示装置１６ｃにメイン画面を表示し処理を終了する。このステップＳ５３はバーコードリーダー読み取り処理終了手段である。
【００５５】
前記１分間の設定時間に満たない時間においても、ステップＳ４３でＹへ進む、すなわち自動印字終了ボタンをクリックしてステップＳ５３を経て、処理を終了することができる。この処理過程は、プリンタ１７でデータ用紙２１の紙づまりの発生やデータ用紙を複数枚ほぼ同時に紙送りしてしまう多重引き込み事故の発生を想定したものである。このステップＳ４３は印刷強制終了判定手段である。
【００５６】
ステップＳ４４はバーコード受信判定手段であり、印刷用コンピュータ１６がバーコードを受信すると、ステップＳ４５でバーコードの内容を解析する。これがバーコード受信手段である。読み取ったバーコードの日付が当週の日付ならばステップＳ４６でＹへ進み、ステップＳ４７で日付と島番号を元に表示装置１６ｃにデータ表示を行う。これが日付確認・判定手段である。さらにステップＳ４８で該当日と該当島のデータを読み込み、印字フォーマットする。これが前記データ印刷フォーマット手段である。以上でデータ用紙２１に追記すべきデータをプリンタが印刷するための印字データにフォーマットし、ステップＳ４９で該印字データをプリンタ１７にシリアルケーブル２０を介して送信する。これが前記プリンタ送信手段である。前記印字データを送信後、ステップＳ５０でプリンタ１７が前記印字データを印刷するために必要な時間だけ待機する。これが印刷時間ウェイト手段である。その後ステップＳ４１の前に戻り、再度バーコードを読み取る処理へ進む。
【００５７】
読み取ったバーコードの日付が当週の日付でないならば、ステップＳ４６でＮへ進みステップＳ５４で表示装置１６ｃに日付違いのメッセージを表示する。さらにステップＳ５５で確認ボタンをクリックすると図４のステップＳ３で表示装置１６ｃにメイン画面を表示して処理を終了する。これが日付違い確認判定手段である。
【００５８】
次に図８のフローチャートにおいて新規印刷の処理について処理の流れを説明する。
ステップＳ５６で自動的に島番号の初期値＝１をセットする。これが島番号初期値自動設定手段である。ステップＳ５７で処理選択画面を表示装置１６ｃに表示する。該処理選択画面は最終営業日のデータ印刷の確認をするメッセージとして「Ｙ月Ｚ日の島データを印刷します。よろしいですか？」と表示し、その表示の下方にはいボタンといいえボタンを表示する。さらに印刷開始島番号の入力画面を表示する。該印刷開始島番号にはステップＳ５６でセットした１がデフォルト値として表示されている。これが新規印刷日付確認手段である。
【００５９】
ステップＳ５８で前記いいえボタンをクリックすると、図４のステップＳ３で表示装置１６ｃにメイン画面を表示して処理を終了する。
ステップＳ５８でＹへ進む、すなわちステップＳ５９で前記はいボタンをクリックすると、表示装置１６ｃにステップ６２で該当島における各遊戯機器の最終営業日のデータを表示する。はいボタンをクリックしないとステップ６０の島番号判定手段で島番号変更を行ないステップ６１で開始島番号を再セットする。
次にステップＳ６３で日付および島番号を元に該当週について初期印刷フォーマット行う。該初期印刷フォーマットとは、タイトルおよびバージョンの印字フォーマットでありあり、店名、機種名、年月、島番号および台番号のフォーマットであり、日付および島番号をバーコードにフォーマットすることであり、全枠線の印字フォーマットである。これが前記全面印刷フォーマット処理手段である。
【００６０】
次にステップＳ６４で日付および島番号をもとに、各遊戯機器の該当日のデータのみを印字フォーマットする。これが前記データ印刷フォーマット手段である。以上で１ページ分のデータをプリンタが印刷するための印字データにフォーマットし、ステップＳ６５で該印字データをプリンタ１７にシリアルケーブル２０を介して送信する。これが前記プリンタ送信手段である。前記データを送信後、ステップＳ６６で島番号を次の島にセットする。ステップＳ６７で島番号が最終島番号に一致しないときはＮへ進み、ステップＳ６２からステップＳ６６を繰り返し処理し、複数枚のデータ用紙を印刷する。このステップＳ６７は最終島終了手段である。このステップＳ６２からステップＳ６６は各島ごとの連続印刷手段の機能を有する。
【００６１】
ステップＳ６７で島番号が最終島番号に一致するとＹへ進み、最終島の印刷が終了し、図４のステップＳ３で表示装置１６ｃにメイン画面を表示して処理を終了する。これが島番号確認による印刷終了手段である。
【００６２】
ステップＳ５７の処理選択画面ではいボタンおよびいいえボタンをクリックせずに
１以外の印刷開始島番号をキーボード１６ｂから入力した場合がステップ６０のＹの処理である。ステップＳ６１で開始島番号が再セットされ、ステップＳ５７で島番号が書き換わった処理選択画面を表示する。このステップＳ６１は任意島番号の新規印刷手段である。
【図面の簡単な説明】
【００６３】
【図１】本発明に係る遊戯機器の管理データの印刷システムに於いて、これに適用する印刷用コンピュータ等の接続構成図である。
【図２】本発明に係る遊戯機器の管理データの印刷システムに使用するデータ用紙例の図である。
【図３】図２に示すデータ用紙例の一部拡大図であって、バーコードおよび島番号の印刷例を示す図である。
【図４】本発明に係る遊戯機器の管理データの印刷システムの実施の形態を示す構成例であり、印刷用コンピュータの起動からプログラム終了までを示すメインルーチンのフローチャートである。
【図５】本発明に係る遊戯機器の管理データの印刷システムにおいて、データ表示の処理を行うときの構成を示すフローチャートである。
【図６】本発明に係る遊戯機器の管理データの印刷システムに於ける実施の形態を示すものであり、自動印刷の処理を行うときの構成を示すフローチャートである。
【図７】本発明に係る遊戯機器の管理データの印刷システムに於ける実施の形態を示すものであり、自動印刷の処理を行うとき、通常印刷を選択した場合の構成を示すフローチャートである。
【図８】本発明に係る遊戯機器の管理データの印刷システムに於ける実施の形態を示すものであり、自動印刷の処理を行うとき、新規印刷を選択した場合の構成を示すフローチャートである。
【図９】従来の技術に於ける追記式プリンタシステムの構成を示すブロック図である。
【図１０】従来の技術に於けるコンピュータにインストールされるソフトウェアの処理の概要を示すフローチャートである。
【符号の説明】
【００６４】
１５    データ集積用コンピュータ
１５ａ  コンピュータ本体
１５ｂ  キーボード
１５ｃ  表示装置
１６    印刷用コンピュータ
１６ａ  コンピュータ本体
１６ｂ  キーボード
１６ｃ  表示装置
１７    プリンタ
１７ａ  カットシートフィーダ
１７ｂ  プリンタ本体
１８    通信ケーブル
１９    バーコードリーダ
２０    シリアルケーブル
２１    データ用紙
２１ａ  バーコード
２１ｂ  島データ
２１ｃ  日付および曜日データ
２１ｄ  遊戯機器の台番号
２１ｅ  営業データ
ステップＳ１    起動手段
ステップＳ２    システム設定ファイル手段
ステップＳ３    メイン画面表示手段
ステップＳ４    データ表示ボタンの押下
ステップＳ５    データ表示処理手段
ステップＳ６    自動印刷ボタンの押下
ステップＳ７    自動印刷処理手段
ステップＳ８    設定ボタンの押下
ステップＳ９    各種設定処理手段
ステップＳ１０  終了ボタンの押下
ステップＳ１１  終了処理手段
ステップＳ１２  ＣＳＶファイル確認判定手段
ステップＳ１３  変換元ファイル無しメッセージの表示
ステップＳ１４  ファイル変換手段
ステップＳ１５  最終日の変換後ファイル検索
ステップＳ１６  デフォルト画面表示手段
ステップＳ１７  データ表示手段
ステップＳ１８  島番号変更判定手段
ステップＳ１９  日付変更判定手段
ステップＳ２０  手動印刷処理判定手段
ステップＳ２１  手動印刷処理手段
ステップＳ２２  パラメータ取得手段
ステップＳ２３  全面印刷フォーマット処理手段
ステップＳ２４  データ印刷フォーマット手段
ステップＳ２５  プリンタ送信手段
ステップＳ２６  他メニューの押クリック
ステップＳ２７  ＣＳＶファイル確認判定手段
ステップＳ２８  変換元ファイル無し表示手段
ステップＳ２９  ファイル変換手段
ステップＳ３０  最終日の変換後ファイル検索
ステップＳ３１  印刷モード選択手段
ステップＳ３２  新規印刷ボタンの押下
ステップＳ３３  新規印刷手段
ステップＳ３４  通常印刷ボタンの押下
ステップＳ３５  通常印刷手段
ステップＳ３６  通常印刷確認手段
ステップＳ３７  ＮＯボタンの押下
ステップＳ３８  キャンセルボタンのクリック
ステップＳ３９  ＯＫボタンの押下
ステップＳ４０  バーコード読取・印字の連続印刷手段
ステップＳ４１  バーコード読み取り指令手段
ステップＳ４２  設定時間超過判定手段
ステップＳ４３  印刷強制終了判定手段
ステップＳ４４  バーコード受信判定手段
ステップＳ４５  バーコード受信手段
ステップＳ４６  日付確認・判定手段
ステップＳ４７  日付・島番号のデータ表示
ステップＳ４８  データ印刷フォーマット手段
ステップＳ４９  プリンタ送信手段
ステップＳ５０  印刷時間ウエイト手段
ステップＳ５１  読み取り処理終了確認手段
ステップＳ５２  ＯＫボタンの押下
ステップＳ５３  バーコードリーダー読み取り処理終了手段
ステップＳ５４  日付違いのメッセージ表示
ステップＳ５５  確認ボタン（キー）の押下
ステップＳ５６  島番号初期値自動設定手段
ステップＳ５７  新規印刷日付確認手段
ステップＳ５８  ＮＯボタンの押下
ステップＳ５９  ＹＥＳボタンの押下
ステップＳ６０  島番号判定手段
ステップＳ６１  任意島番号の新規印刷手段
ステップＳ６２  最終営業日のデータ表示
ステップＳ６３  全面印刷フォーマット処理手段
ステップＳ６４  データ印刷フォーマット手段
ステップＳ６５  プリンタ送信手段
ステップＳ６６  島番号を次の番号にセット
ステップＳ６７  番号確認による印刷
【図１】
2008134760.tif 000003
【図２】
2008134760.tif 000004
【図３】
2008134760.tif 000005
【図４】
2008134760.tif 000006
【図５】
2008134760.tif 000007
【図６】
2008134760.tif 000008
【図７】
2008134760.tif 000009
【図８】
2008134760.tif 000010
【図９】
2008134760.tif 000011
【図１０】
2008134760.tif 000012